(57)【要約】【課題】単純な構造で固形石鹸の水切れを良くし、その溶出を防いで衛生的に保持できる固形石鹸収納ネットの製造方法及びネット入り固形石鹸を提供することを目的とする。【解決手段】（ａ）筒状のネットの筒内に二つ折りにした紐１４を挿入し、当該紐１４の端部側が前記筒状ネットの中央側、前記紐１４の輪側が前記筒状ネットの端部側に来るように配置する工程と、（ｂ）前記二つ折りにした紐１４の端部と前記筒状ネットを閉じ合わせて固定する工程と、（ｃ）前記筒状ネットの前記紐１４の挿入側とは逆側の筒内に、固形石鹸１１を挿入する工程と、（ｄ）前記筒状ネットの、前記固形石鹸１１を入れた側の端部を閉じ合わせ、前記固形石鹸１１を前記筒状ネット内に封入する工程と、（ｅ）前記紐１４の挿入側の前記筒状ネットを、前記固形石鹸１１側に折り返す工程と、を備えることを特徴とするネット入り固形石鹸１０の製造方法。【選択図】図１
2009065999.tif 000002
【特許請求の範囲】
【請求項１】
（ａ）筒状のネットの筒内に二つ折りにした紐を挿入し、当該紐の端部側が前記筒状ネットの中央側、前記紐の輪側が前記筒状ネットの端部側に来るように配置する工程と、
（ｂ）前記二つ折りにした紐の端部と前記筒状ネットを閉じ合わせて固定する工程と、
（ｃ）前記筒状ネットの前記紐の挿入側とは逆側の筒内に、固形石鹸を挿入する工程と、
（ｄ）前記筒状ネットの、前記固形石鹸を入れた側の端部を閉じ合わせ、前記固形石鹸を前記筒状ネット内に封入する工程と、
（ｅ）前記紐の挿入側の前記筒状ネットを、前記固形石鹸側に折り返す工程と、
を備えることを特徴とする固形石鹸収納ネットの製造方法。
【請求項２】
（ａ）筒状のネットを内側から外側に反転させるように二つ折りにする工程と、
（ｂ）前記二つ折りの筒状ネットの筒内に、二つ折りにした紐を挿入し、当該紐の端部側が前記二つ折りの筒状ネットの中央側、前記紐の輪側が前記二つ折りの筒状ネットの折り返しのある端部側に来るように配置する工程と、
（ｃ）前記二つ折りにした紐の端部と前記二つ折りの筒状ネットを閉じ合わせて固定する工程と、
（ｄ）前記二つ折りの筒状ネットの前記紐の挿入側とは逆側の筒内に、固形石鹸を挿入する工程と、
（ｅ）前記二つ折りの筒状ネットの、前記固形石鹸を入れた側の端部を閉じ合わせ、前記固形石鹸を前記二つ折りの筒状ネット内に封入する工程と、
（ｆ）前記紐の挿入側の前記二つ折りの筒状ネットを、前記固形石鹸側に折り返す工程と、
を備えることを特徴とする固形石鹸収納ネットの製造方法。
【請求項３】
前記筒状ネットが伸縮性を有するネットからなることを特徴とする請求項１又は２に記載の固形石鹸収納ネットの製造方法。
【請求項４】
前記筒状ネットに封入される前記固形石鹸に、複数の穴が設けられていることを特徴とする請求項１又は２に記載の固形石鹸収納ネットの製造方法。
【請求項５】
前記筒状ネットは、光触媒とアパタイトの複合体粒子が含まれていることを特徴とする請求項１又は２に記載の固形石鹸収納ネットの製造方法。
【請求項６】
前記光触媒とアパタイトの複合体粒子は、アパタイトにより光触媒粒子が被覆された複合体粒子であることを特徴とする請求項５に記載の固形石鹸収納ネットの製造方法。
【請求項７】
前記光触媒とアパタイトの複合体粒子は、アパタイトの結晶構造中に光触媒が置換された複合体粒子であることを特徴とする請求項５に記載のネット入り固形石鹸。
【請求項８】
前記光触媒が、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とすることを特徴とする請求項６又は７に記載の固形石鹸収納ネットの製造方法。
【請求項９】
前記アパタイトが、フッ化アパタイト又は水酸化アパタイトであることを特徴とする請求項６又は７に記載の固形石鹸収納ネットの製造方法。
【請求項１０】
請求項１乃至９の何れかの項に記載された固形石鹸収納ネットの製造方法により製造されたことを特徴とするネット入り固形石鹸。
【発明の詳細な説明】
【技術分野】
【０００１】
本発明は、固形石鹸を衛生的に保持できる固形石鹸収納ネットの製造方法及びネット入り固形石鹸に関するものである。
【背景技術】
【０００２】
従来、使いかけの固形石鹸は、石鹸皿や石鹸箱等の石鹸置きに入れて保存するのが通常であった。
【０００３】
しかし、このような石鹸置きは細菌が非常に繁殖しやすいことが知られている。というのも、固形石鹸は水に溶けやすく、この石鹸が溶け出した石鹸水には石鹸の成分である脂肪酸や人の皮脂、皮膚の蛋白成分等、細菌が好む成分が多く含まれているためである。それ故、例えば病院等の医療機関では院内感染防止等の観点から固形石鹸は推奨されておらず、現在では液体石鹸が主流となっていた。
【０００４】
一方、特許文献１には、固形石鹸を収納する袋状の内側ネットと、この内側ネットの外側面を覆うように設けられた外側ネットの二重構造からなり、内側ネットの閉塞部側の外側ネットの端部を内側ネットに拘束しない構成とする固形石けん収納用ネットが開示されている。
【特許文献１】実用新案登録第３１０９９７６号公報
【発明の開示】
【発明が解決しようとする課題】
【０００５】
しかしながら、上述した液体石鹸は固形石鹸に比べて経済的ではないという問題を有している。これは、液体石鹸の約７０％が水分であるのに対し、固形石鹸の水分は約１２％であること、さらに固形石鹸の方が石鹸分（界面活性剤）を多く含んでいることからも明らかである。
そのため、固形石鹸を衛生的に保つ方策がこれまで検討されてきた。
【０００６】
なお、特許文献１に開示された固形石鹸収納用ネットは、もっぱら泡立ちの向上を図るためになされた考案であり、本発明のように固形石鹸を吊り下げて使用する用途は考慮されていなかった。その実施例３（請求項３）における紐も、固形石鹸が固形石鹸収納ネットから抜け出ないように確実に保持するためのものでしかない（段落〔００１０〕、〔００２７〕参照）。しかもこの紐は固形石鹸収納ネットに巾着状に設けられる複雑な構造であり、故にその製造工程も複雑となり、コストの上昇を招くものであった。
【０００７】
本発明は、上記従来の問題点に鑑みて、単純な構造で固形石鹸の水切れを良くし、その溶出を防いで衛生的に保持できる固形石鹸収納ネットの製造方法及びネット入り固形石鹸を提供することを目的とする。
【課題を解決するための手段】
【０００８】
上記課題を解決するために、本発明は、（ａ）筒状のネットの筒内に二つ折りにした紐を挿入し、当該紐の端部側が前記筒状ネットの中央側、前記紐の輪側が前記筒状ネットの端部側に来るように配置する工程と、（ｂ）前記二つ折りにした紐の端部と前記筒状ネットを閉じ合わせて固定する工程と、（ｃ）前記筒状ネットの前記紐の挿入側とは逆側の筒内に、固形石鹸を挿入する工程と、（ｄ）前記筒状ネットの、前記固形石鹸を入れた側の端部を閉じ合わせ、前記固形石鹸を前記筒状ネット内に封入する工程と、（ｅ）前記紐の挿入側の前記筒状ネットを、前記固形石鹸側に折り返す工程と、を備えることを特徴とする固形石鹸収納ネットの製造方法を提供する。
【０００９】
さらに、本発明は、（ａ）筒状のネットを内側から外側に反転させるように二つ折りにする工程と、（ｂ）前記二つ折りの筒状ネットの筒内に、二つ折りにした紐を挿入し、当該紐の端部側が前記二つ折りの筒状ネットの中央側、前記紐の輪側が前記二つ折りの筒状ネットの折り返しのある端部側に来るように配置する工程と、（ｃ）前記二つ折りにした紐の端部と前記二つ折りの筒状ネットを閉じ合わせて固定する工程と、（ｄ）前記二つ折りの筒状ネットの前記紐の挿入側とは逆側の筒内に、固形石鹸を挿入する工程と、（ｅ）前記二つ折りの筒状ネットの、前記固形石鹸を入れた側の端部を閉じ合わせ、前記固形石鹸を前記二つ折りの筒状ネット内に封入する工程と、（ｆ）前記紐の挿入側の前記二つ折りの筒状ネットを、前記固形石鹸側に折り返す工程と、を備えることを特徴とする固形石鹸収納ネットの製造方法を提供する。
【００１０】
ここで、前記筒状ネットは伸縮性を有するネットからなるようにしても良い。
【００１１】
また、前記筒状ネットに封入される前記固形石鹸に、複数の穴が設けても良い。
【００１２】
尚、前記筒状ネットには、光触媒とアパタイトの複合体粒子が含まれる。その前記光触媒とアパタイトの複合体粒子は、アパタイトにより光触媒粒子が被覆された複合体粒子とするのが好ましい。あるいは、アパタイトの結晶構造中に光触媒が置換された複合体粒子としても良い。
【００１３】
そして、前記光触媒は、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とするのが好適である。
【００１４】
また、前記アパタイトは、フッ化アパタイト又は水酸化アパタイトとするのが良い。
【００１５】
さらに本発明は、上記課題を解決するために、上記の固形石鹸収納ネットの製造方法により製造されたことを特徴とするネット入り固形石鹸を提供するものである。
【発明の効果】
【００１６】
本発明によれば、固形石鹸の水切れを良くし、その溶出を防ぐことができる。従って、細菌の棲み処となる石鹸水を出さず、固形石鹸を清潔に保持することができる。
【００１７】
また、固形石鹸収納部のネットで固形石鹸を包み、さらに折り返しネットで覆うことにより、固形石鹸の泡立ちが良くなり、洗浄力が高くなる。さらに、きめ細かい泡が立つまでの時間も通常より早くなり簡便である。
【００１８】
また、固形石鹸がネットに包まれているため使用の際に石鹸が手から滑ることがない。さらに、吊り下げ部により吊り下げて使用するため、固形石鹸を落として転がしてしまう心配もなく、常に決まった場所に保持できる。
【００１９】
また、ネットに収納されているため、固形石鹸が使用するにつれて小さくなっても最後まで使い切ることができる。
【００２０】
さらに、構造が単純なため製造工程も単純化でき、低コスト化を実現できる。
【００２１】
また、本収納ネットには光触媒及びアパタイトの複合体が含まれていることにより、抗菌効果を付与することができる。さらに、この光触媒及びアパタイトの複合体は、固形石鹸の洗浄力、消臭力も向上させる。しかも、光触媒及びアパタイトの複合体によるこれらの効果は半永久的に継続するため、固形石鹸を常に衛生的に保持することが可能となる。
【発明を実施するための最良の形態】
【００２２】
以下、本発明の実施の形態について、図面を参照しながら詳細に説明する。
【００２３】
〔第１の実施形態〕
図１は、本発明の第１の実施形態に係るネット入り固形石鹸の概観を示す全体概略図、図２はその縦断面図である。
これらの図に示すように、ネット入り固形石鹸１０は、固形石鹸１１と、この固形石鹸１１を収納する固形石鹸収納部１２と、この固形石鹸収納部１２の外側をスカート状に覆い、固形石鹸１１の泡立ちを良くするために設けられる折り返しネット１３と、全体をフック等に吊り下げるための吊り下げ紐１４からなる。
【００２４】
固形石鹸収納部１２は、その下部が接合部１５、その上部が吊り下げ紐固定部１６によって閉じられることにより固形石鹸１１を収納、保持している。
【００２５】
以下、その製造工程について具体的に説明する。
図３及び図４は、本発明の第１の実施形態に係るネット入り固形石鹸の製造工程を説明するための模式図である。
【００２６】
まず、図３（ａ）に示すような筒状のネット１３Ａを用意する。
次に、図３（ｂ）に示すように、二つ折りにした吊り下げ紐１４を筒状のネット１３Ａの筒内に挿入する。その際、二つ折りにした吊り下げ紐１４の端部側が筒状のネット１３Ａの中央側、二つ折りにした吊り下げ紐１４の輪側が筒状ネット１３Ａの端部側に来るように配置する。
次いで図３（ｃ）に示すように、吊り下げ紐１４の端部と筒状ネット１３Ａを閉じ合わせて固定し、吊り下げ紐固定部１６とする。吊り下げ紐１４の輪側に位置する筒状ネット１３Ａが、折り返しネット１３となる。このとき、吊り下げ紐固定部１６は、紐や糸、テグス等で縛ることで閉じ合わせても良いし、その他、縫合、熱着、溶着、圧着等によっても良い。
【００２７】
次に、図４（ａ）に示すように、筒状ネット１３Ａの、折り返しネット１３とは反対側の筒内に固形石鹸１１を挿入する。
次いで、図４（ｂ）に示すように、固形石鹸１１を挿入した側の筒状ネット１３Ａの端部を閉じ合わせて固形石鹸１１を封入し、固形石鹸収納部１２とする。このとき、接合部１５は、紐や糸、テグス等で縛ることで閉じ合わせても良いし、その他、縫合、熱着、溶着、圧着等によっても良い。
最後に、図４（ｃ）に示すように、折り返しネット１３を固形石鹸１１側に折り返して、固形石鹸収納部１２の外側をスカート状に覆うことで、ネット入り固形石鹸１０が完成する。
【００２８】
なお、固形石鹸収納部１２と折り返しネット１３を構成する筒状ネット１３Ａは、ポリエチレン等の合成樹脂よりなるのが好適である。また、伸縮性を有する素材（例えば、ナイロン等のストッキング素材）を使用すれば、固形石鹸１１の大きさに合わせて伸縮し、固形石鹸１１が使用により少しずつ小さくなっても最後までこれにフィットして使いやすい収納ネットとすることができる。
【００２９】
さらに、この筒状ネット１３Ａには光触媒及びアパタイトの複合体が含まれているのが好適である。この光触媒及びアパタイトの複合体の抗菌効果により、固形石鹸１１を細菌から守るだけでなく、さらに細菌の栄養源となる皮脂や皮膚の蛋白成分自体も分解することができる。さらに、有害物質等の吸着、分解効果により洗浄力も向上し、併せて消臭を行うこともできる。
【００３０】
吊り下げ紐１４は、好ましくは防水性を有する素材よりなり、図に示すように輪状にしてフックや蛇口等に引掛けて使用できるように構成する。あるいは、輪状にする代わりにフックや吸盤等を取り付けるようにしても良い。
【００３１】
上記のように構成したので、この第１の実施形態によれば、固形石鹸の水切れを良くし、その溶出を防ぐことができる。従って、細菌の棲み処となる石鹸水を出さず、固形石鹸を清潔に保持することができる。
【００３２】
また、固形石鹸収納部のネットで固形石鹸を包み、さらに折り返しネットで覆うことにより、固形石鹸の泡立ちが良くなり、洗浄力が高くなる。さらに、きめ細かい泡が立つまでの時間も通常より早くなり簡便である。
【００３３】
また、固形石鹸がネットに包まれているため使用の際に石鹸が手から滑ることがない。さらに、吊り下げ紐により吊り下げて使用するため、固形石鹸を落として転がしてしまう心配もなく、常に決まった場所に保持できる。
【００３４】
また、ネットに収納されているため、固形石鹸が使用するにつれて小さくなっても最後まで使い切ることができる。
【００３５】
さらに、構造が単純なため製造工程も単純化でき、低コスト化を実現できる。
【００３６】
また、光触媒及びアパタイトの複合体をネットに塗布することにより、抗菌効果を付与することができる。さらに、この光触媒及びアパタイトの複合体は、固形石鹸の洗浄力、消臭力も向上させる。しかも、光触媒及びアパタイトの複合体によるこれらの効果は半永久的に継続するため、固形石鹸を常に衛生的に保持することが可能となる。
【００３７】
〔第２の実施形態〕
図５は、本発明の第２の実施形態に係るネット入り固形石鹸の縦断面図である。
この図に示すように、本実施形態では、固形石鹸収納部２２及び折り返しネット２３を構成するネットを二重に設ける。
【００３８】
以下、その製造工程について具体的に説明する。
図６及び図７は、本発明の第２の実施形態に係るネット入り固形石鹸の製造工程を説明するための模式図である。
【００３９】
まず、図６（ａ）に示すような長尺の筒状ネット２３Ａを用意する。
次に、図６（ｂ）に示すように、長尺の筒状ネット２３Ａを中心から二つに折り返す（二つ折りにした筒状ネット２３Ｂ）。
次いで図６（ｃ）に示すように、二つ折りにした吊り下げ紐２４を二つ折りにした筒状ネット２３Ｂの筒内に挿入する。その際、二つ折りにした吊り下げ紐２４の端部側が二つ折りにした筒状ネット２３Ｂの中央側に、二つ折りにした吊り下げ紐２４の輪側が、二つ折りにした筒状ネット２３Ｂの端部側（折り目のある端部側）に来るように配置するのが好ましい。
次いで図６（ｄ）に示すように、吊り下げ紐２４の端部と二つ折りにした筒状ネット２３Ｂを閉じ合わせて固定し、吊り下げ紐固定部２６とする。吊り下げ紐２４の輪側に位置する筒状のネット２３Ｂが、折り返しネット２３となる。このとき、吊り下げ紐固定部２６は、紐や糸、テグス等で縛ることで閉じ合わせても良いし、その他、縫合、熱着、溶着、圧着等によっても良い。
【００４０】
次に、図７（ａ）に示すように、二つ折りにした筒状ネット２３Ｂの、折り返しネット２３とは反対側の筒内に固形石鹸２１を挿入する。
次いで、図７（ｂ）に示すように、固形石鹸２１を挿入した側の筒状ネット２３Ｂの端部を閉じ合わせて固形石鹸２１を封入し、固形石鹸収納部２２とする。このとき、接合部２５は、紐や糸、テグス等で縛ることで閉じ合わせても良いし、その他、縫合、熱着、溶着、圧着等によっても良い。
最後に、図７（ｃ）に示すように、折り返しネット２３を固形石鹸２１側に折り返して、固形石鹸収納部２２の外側をスカート状に覆うことで、ネット入り固形石鹸２０が完成する。
【００４１】
このように構成することにより、上述した第１の実施形態の効果に加えて、固形石鹸の泡立ちをさらに良くできるという効果を奏する。きめの細かい泡で皮膚を洗浄すると、泡が毛穴や皺等まで深く入り込み、通常の泡よりも汚れがよく落ちることが知られているが、本実施形態によれば、ネットを二重に構成したことによりネットが空気を多く含むことができるため、きめ細かい泡を簡単に素早く泡立てることが可能となり、洗浄力を向上させることができる。
【００４２】
〔第３の実施形態〕
本実施形態では、固形石鹸収納部に収納する固形石鹸として、複数の穴が空いた形状の固形石鹸を用いる。
【００４３】
図８は本発明の第３の実施形態に係る固形石鹸の一態様を示す斜視図である。
この図に示すように、固形石鹸収納部に収納する固形石鹸３１に複数の穴３２を設けることにより、固形石鹸３１の泡立ちを良くすることができる。なお、ここでは穴３２は貫通穴として図示したが、貫通しない穴としても良い。
【００４４】
次に、本発明において用いる光触媒及びアパタイトの複合体について説明する。
図９は、本発明の固形石鹸収納ネットの製造方法及びネット入り固形石鹸に係る光触媒及びアパタイト複合体の機能を説明する模式図である。
【００４５】
まず、本発明に用いられるアパタイトとは、Ｍ，Ｚ，Ｘを任意の元素として、Ｍ10（ＺＯ4）6Ｘ2の組成を有する鉱物群であり、日本名ではリン灰石と呼ばれている。ここで、前記のＭとＺの主成分はそれぞれカルシウムとリンであるが、Ｍ，Ｚ，Ｘは種々の元素で比較的容易に置換することができる。Ｍにカルシウム、Ｚにリン、Ｘにフッ素が主成分として入ると、フッ化アパタイト（フルオロアパタイト）となる。また、Ｍにカルシウム、Ｚにリン、Ｘに水酸基が入ると、水酸化アパタイト（ハイドロキシアパタイト）となる。
【００４６】
このアパタイトは、汚れや臭い、細菌等を吸着保持する機能を有する。例えば窒素酸化物や過酸化脂質、アンモニアやアルデヒド類、大腸菌等の細菌やウィルスを吸着できる。
【００４７】
一方、光触媒は、光が照射された際の酸化還元作用により、上記のアパタイトが吸着した汚れや臭い、細菌等を分解除去する作用を有する。
【００４８】
本発明の固形石鹸収納ネットの製造方法及びネット入り固形石鹸では、このような光触媒とアパタイトを、被覆（光触媒をアパタイトで被覆）、置換（アパタイトの結晶構造中に光触媒を置換）等の方法により複合化し添加する。それにより、アパタイトと光触媒双方の作用を連携させ、優れた抗菌、洗浄、消臭効果を発揮させることができる。
【００４９】
例えば、光触媒は、光を当てることにより非常に強い酸化力を生じ、接触してくる有害化学物質や細菌、カビ、臭い、汚れ等を分解し、炭酸ガスなどに分解し除去することができるが、物質や菌等を引き寄せたり多量に吸着する作用はないため、光触媒表面に接触した物質しか分解できず、また、光が当たらなければ機能することができない。一方で、アパタイトもタンパク質や物質の吸着能に優れ大量に吸着することができるが、それらの分解能がないため一定の吸着量を超えれば飽和してしまいそれ以上は吸着できなくなってしまう。
【００５０】
しかし、光触媒とアパタイトを複合化させると、図９（ａ）に示すように、光が当たらなくても物質を吸着でき、さらに図９（ｂ）に示すように、光がある時にアパタイトが吸着した物質を光触媒が分解するため、吸着機能がその都度再生する。さらに、光触媒は有機物を分解するために一定の時間を必要とするが、アパタイトは吸着した物質を逃さないため、確実に分解することができるという効果もある。このため、本発明のネット入り固形石鹸は、わずかな光でも優れた抗菌、洗浄、消臭効果を発揮することができる。
【００５１】
また、光触媒をアパタイトと複合させるもう一つのメリットとして、光触媒による基材の分解を防ぐことが挙げられる。光触媒は、プラスチックや繊維、樹脂等の有機系の基材に混合させると、その強力な酸化作用で基材自体を分解し劣化させてしまうという問題点を有していた。しかし、アパタイトと複合させることによりアパタイトが光触媒と基材とのスペーサーの役割を果たすため、光触媒は直接基材に触れず基材を傷めることがなくなる。そのため本発明では、ネットの基材となる合成樹脂に光触媒を塗布してもこれを劣化させることがない。
【００５２】
なお、本発明に用いるアパタイトとしては、上記のフッ化アパタイト、水酸化アパタイトのほか、塩化アパタイト、炭酸アパタイト、炭酸化水酸アパタイト等が好適である。
【００５３】
さらに、本発明に用いる光触媒としては、二酸化チタン、酸化亜鉛、酸化バナジウム、三酸化二ビスマス、三酸化タングステン、酸化鉄、チタン酸ストロンチウム、硫化カドミウム等が好適である。
【００５４】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００５５】
本発明は、固形石鹸を衛生的に保持できる固形石鹸収納ネットの製造方法及びネット入り固形石鹸に関するものであり、産業上の利用可能性を有する。
【図面の簡単な説明】
【００５６】
【図１】本発明の第１の実施形態に係るネット入り固形石鹸の概観を示す全体概略図である。
【図２】本発明の第１の実施形態に係るネット入り固形石鹸の縦断面図である。
【図３】本発明の第１の実施形態に係るネット入り固形石鹸の製造工程（その１）を説明するための模式図である。
【図４】本発明の第１の実施形態に係るネット入り固形石鹸の製造工程（その２）を説明するための模式図である。
【図５】本発明の第２の実施形態に係るネット入り固形石鹸の縦断面図である。
【図６】本発明の第２の実施形態に係るネット入り固形石鹸の製造工程（その１）を説明するための模式図である。
【図７】本発明の第２の実施形態に係るネット入り固形石鹸の製造工程（その２）を説明するための模式図である。
【図８】本発明の第３の実施形態に係る固形石鹸の一態様を示す斜視図である。
【図９】本発明の固形石鹸収納ネットの製造方法及びネット入り固形石鹸に係る光触媒及びアパタイト複合体の機能を説明する模式図である。
【符号の説明】
【００５７】
１０、２０  ネット入り固形石鹸
１１、２１、３１  固形石鹸
１２、２２  固形石鹸収納部
１３、２３  折り返しネット
１３Ａ  筒状ネット
１４、２４  吊り下げ紐
１５、２５  接合部
１６、２６  吊り下げ紐固定部
２３Ａ  長尺の筒状ネット
２３Ｂ  二つ折りにした筒状ネット
３２  穴
【図１】
2009065999.tif 000003
【図２】
2009065999.tif 000004
【図３】
2009065999.tif 000005
【図４】
2009065999.tif 000006
【図５】
2009065999.tif 000007
【図６】
2009065999.tif 000008
【図７】
2009065999.tif 000009
【図８】
2009065999.tif 000010
【図９】
2009065999.tif 000011